(57)【特許請求の範囲】
【請求項１】
放射性薬液容器を収納する遮蔽容器の内装材であって、内側に放射性薬液容器を保持し、放射性薬液容器の胴部の軸方向に実質的に平行な軸を有するとともに、内装材の円筒壁の内面から斜め内方に突出し、先端部が放射性薬液容器の胴部の周面に軸方向に沿って所定長さ接触する複数の縦羽根状の薬液容器保持片を有し、さらに、前記薬液容器保持片の上方に放射性薬液容器の胴径より大きい内径を有する薬液容器挿入部を有し、かつ、該薬液容器挿入部の上面の角部がカットされた形状を有することを特徴とする内装材。
【請求項２】
放射性薬液容器を収納する遮蔽容器の内装材であって、内側に放射性薬液容器を保持し、放射性薬液容器の胴部の軸方向に実質的に平行な軸を有するとともに、内装材の円筒壁の内面から斜め内方に突出し、先端部が放射性薬液容器の胴部の周面に軸方向に沿って所定長さ接触する複数の縦羽根状の薬液容器保持片を有し、さらに、前記薬液容器保持片同士が連結体により連結され、該連結体は、該連結体と該薬液容器保持片とによって形成される内側の空隙に、該空隙よりも大きい胴径を有する放射性薬液容器を挿入した際に切断することを特徴とする内装材。
【請求項３】
放射性薬液容器を収納する遮蔽容器の内装材であって、内側に放射性薬液容器を保持し、放射性薬液容器の胴部の軸方向に実質的に平行な軸を有するとともに、内装材の円筒壁の内面から斜め内方に突出し、先端部が放射性薬液容器の胴部の周面に軸方向に沿って所定長さ接触する複数の縦羽根状の薬液容器保持片を有し、さらに、前記薬液容器保持片同士が連結体により連結され、該連結体は環状構造体を形成し、かつ、該環状構造体の内側の空隙に、該環状構造体が成す空隙よりも大きい胴径を有する放射性薬液容器を挿入した際に切断することを特徴とする内装材。
【請求項４】
薬液容器保持片の上端に、内方に向かって下向傾斜する傾斜面が形成されている請求項１〜３のいずれか１項に記載の内装材。
【請求項５】
放射性薬液容器を収納する遮蔽容器の内装材であって、内側に放射性薬液容器を保持し、放射性薬液容器の胴部の軸方向に実質的に平行な軸を有するとともに、幅方向両端が内装材の円筒壁の内面に接続し、内面側が放射性薬液容器の胴部の周面に軸方向に沿って所定長さ接触する複数の板状の薬液容器保持片を有し、さらに、前記薬液容器保持片の上方に放射性薬液容器の胴径より大きい内径を有する薬液容器挿入部を有し、かつ、該薬液容器挿入部の上面の角部がカットされた形状を有することを特徴とする内装材。
【請求項６】
薬液容器保持片の上方に放射性薬液容器の胴径より大きい内径を有する薬液容器挿入部を有し、かつ、該薬液容器挿入部の上面の角部がカットされた形状を有する請求項２〜４のいずれか１項に記載の内装材。
【請求項７】
前記連結体は、予め切り込みを有し、切断される場所が決まっている請求項２又は３に記載の内装材。
【請求項８】
請求項１〜７のいずれか１項に記載の内装材を備えたことを特徴とする、放射性薬液容器を収納する遮蔽容器。
【発明の詳細な説明】
【技術分野】
【０００１】
本発明は、放射性薬液を封入した放射性薬液容器（バイアル、プレフィルドシリンジ、アンプル等）を収納する遮蔽容器の内装材に関する。
【背景技術】
【０００２】
放射性薬液の入った放射性薬液容器を収納する遮蔽容器の内装材として、特開平９−６１５８８号に開示されたものがある。この内装材は、図１８に示すように、容器本体の開口部に係合する係合部ａと、係合部ａに隣接し、放射性薬液容器の胴径より大きい内径を有する薬液容器挿入部ｂと、薬液容器挿入部ｂから下方に向かって略円錐台状に形成され、その下端縁より複数個の拡開用切込みｃにより設けられた薬液容器固定片ｄよりなる薬液容器固定部ｅを有するものである。
【０００３】
上述した特開平９−６１５８８号の内装材は、遮蔽容器の容器本体の開口部に係合部ａを係合させることにより、容器本体の内側に配置される。そして、放射性薬液容器を遮蔽容器に収納するとき、内装材の薬液容器固定部ｅは、放射性薬液容器の胴径とほぼ同じ内径にまで拡開すると同時に、放射性薬液容器の胴部をその中心に向かって挟圧することによって放射性薬液容器を固定する。
【発明の開示】
【発明が解決しようとする課題】
【０００４】
しかし、特開平９−６１５８８号の内装材には、次のような欠点があった。
１．一種類の内装材に対しては、その内装材の薬液容器固定部の寸法に適応した胴径を有する放射性薬液容器しか使用できず、胴径の異なる放射性薬液容器については使用できなかった。したがって、胴径の異なる複数種の放射性薬液容器を遮蔽容器に収納するためには、それぞれの放射性薬液容器の胴径に合わせた複数種の内装材が必要となり、不経済であった。
２．薬液容器固定部に放射性薬液容器を固定したとき、薬液容器固定部は略円錐台状に形成されているので、放射性薬液容器の胴部には薬液容器固定片の下端部のみが接触する。そのため、放射性薬液容器と薬液容器固定片の上下方向（容器の軸方向）における接触距離が短いので、遮蔽容器内で放射性薬液容器がぐらつくことがあり、遮蔽容器内に放射性薬液容器を安定に保持できないことがあった。
【０００５】
本発明は、前述した事情に鑑みてなされたもので、放射性薬液容器を収納する遮蔽容器の内装材であって、一種類の内装材を胴径の異なる複数種の放射性薬液容器に対して使用することができる内装材、及び、放射性薬液容器を固定したときに放射性薬液容器がぐらつくことがなく、遮蔽容器内に放射性薬液容器を安定に保持することができる内装材を提供することを目的とする。
【課題を解決するための手段】
【０００６】
本発明は、前記目的を達成するため、下記第１〜第４発明の内装材を提供する。
（第１発明）
放射性薬液容器を収納する遮蔽容器の内装材であって、内側に放射性薬液容器を保持し、放射性薬液容器の胴部の軸方向に実質的に平行な軸を有するとともに、内装材の円筒壁の内面から斜め内方に突出し、先端部が放射性薬液容器の胴部の周面に軸方向に沿って所定長さ接触する複数の縦羽根状の薬液容器保持片を有し、さらに、前記薬液容器保持片の上方に放射性薬液容器の胴径より大きい内径を有する薬液容器挿入部を有し、かつ、該薬液容器挿入部の上面の角部がカットされた形状を有することを特徴とする内装材。
（第２発明）
放射性薬液容器を収納する遮蔽容器の内装材であって、内側に放射性薬液容器を保持し、放射性薬液容器の胴部の軸方向に実質的に平行な軸を有するとともに、内装材の円筒壁の内面から斜め内方に突出し、先端部が放射性薬液容器の胴部の周面に軸方向に沿って所定長さ接触する複数の縦羽根状の薬液容器保持片を有し、さらに、前記薬液容器保持片同士が連結体により連結され、該連結体は、該連結体と該薬液容器保持片とによって形成される内側の空隙に、該空隙よりも大きい胴径を有する放射性薬液容器を挿入した際に切断することを特徴とする内装材。
（第３発明）
放射性薬液容器を収納する遮蔽容器の内装材であって、内側に放射性薬液容器を保持し、放射性薬液容器の胴部の軸方向に実質的に平行な軸を有するとともに、内装材の円筒壁の内面から斜め内方に突出し、先端部が放射性薬液容器の胴部の周面に軸方向に沿って所定長さ接触する複数の縦羽根状の薬液容器保持片を有し、さらに、前記薬液容器保持片同士が連結体により連結され、該連結体は環状構造体を形成し、かつ、該環状構造体の内側の空隙に、該環状構造体が成す空隙よりも大きい胴径を有する放射性薬液容器を挿入した際に切断することを特徴とする内装材。
（第４発明）
放射性薬液容器を収納する遮蔽容器の内装材であって、内側に放射性薬液容器を保持し、放射性薬液容器の胴部の軸方向に実質的に平行な軸を有するとともに、幅方向両端が内装材の円筒壁の内面に接続し、内面側が放射性薬液容器の胴部の周面に軸方向に沿って所定長さ接触する複数の板状の薬液容器保持片を有し、さらに、前記薬液容器保持片の上方に放射性薬液容器の胴径より大きい内径を有する薬液容器挿入部を有し、かつ、該薬液容器挿入部の上面の角部がカットされた形状を有することを特徴とする内装材。
【０００７】
本発明の内装材は、複数の薬液容器保持片の内側に放射性薬液容器を挿入し、これら薬液容器保持片によって放射性薬液容器を保持するものであるが、第２及び第３発明では薬液容器保持片同士が切断可能な連結体により連結されている。そのため、一種類の内装材に対し、薬液容器保持片の内側にその寸法より大きい胴径を有する放射性薬液容器を挿入した場合でも、連結体が切断して、上記大きい胴径の放射性薬液容器に薬液容器保持片が適合する。そのため、一種類の内装材を胴径の異なる複数種の放射性薬液容器に対して使用することができる。
【０００８】
第１発明〜第４発明の内装材は、薬液容器保持片が放射性薬液容器の胴部の周面に軸方向に沿って所定長さ接触する。したがって、放射性薬液容器と薬液容器保持片の上下方向（容器の軸方向）における接触距離が長いので、薬液容器保持片の内側に放射性薬液容器を固定したときに放射性薬液容器がぐらつくことがなく、遮蔽容器内に放射性薬液容器を安定に保持することができる。
【発明の効果】
【０００９】
本発明に係る放射性薬液容器を収納する遮蔽容器の内装材は、下記の効果を奏する。
（１）第２及び第３発明の内装材は、一種類の内装材に対し、薬液容器保持片の内側にその寸法より大きい胴径を有する放射性薬液容器を挿入した場合でも、連結体が切断して、上記大きい胴径の放射性薬液容器に薬液容器保持片が適合する。そのため、一種類の内装材を胴径の異なる複数種の放射性薬液容器に対して使用することができる。また、小さい胴径を有する放射性薬液容器を内装材に挿入した場合でも、薬液容器保持片が連結体によって連結されているので、放射性薬液容器を薬液容器保持片によって確実に保持することができる。このように、第２及び第３発明の内装材は、放射性薬液容器の胴径の大きさに関係なく、放射性薬液容器を保持する力を目的の範囲内にコントロールすることができる。さらに、薬液容器保持片が衝撃に対する緩衝作用を有するため、輸送時等に放射性薬液容器の破損を防止することができる。
（２）第１発明〜第４発明の内装材は、放射性薬液容器と薬液容器保持片の上下方向（容器の軸方向）における接触距離が長いので、薬液容器保持片の内側に放射性薬液容器を固定したときに放射性薬液容器がぐらつくことがなく、遮蔽容器内に放射性薬液容器を安定に保持することができる。また、薬液容器保持片が衝撃に対する緩衝作用を有するため、輸送時等に放射性薬液容器の破損を防止することができる。
【発明を実施するための最良の形態】
【００１０】
次に、図面を参照して本発明の実施の形態を説明するが、本発明は下記例に限定されるものではない。図１〜図４は本発明に係る内装材の一実施形態を示すもので、図１は斜視図、図２は平面図、図３は底面図、図４は縦断面図である。
【００１１】
本例の内装材２は、プラスチックにより一体成形されたもので、容器本体の開口部に係合する円形リング状の係合部４と、放射性薬液容器の胴径より大きい内径を有する円形リング状の薬液容器挿入部６と、放射性薬液容器の胴部の周面に接触し、内側に放射性薬液容器を保持する複数（本例では５枚）の薬液容器保持片８とを有する。上記薬液容器保持片８は、内方に斜めに突出し、先端部が放射性薬液容器の胴部の周面に軸方向に沿って所定長さ接触するほぼ垂直な縦羽根状の薬液容器保持片である。薬液容器保持片８の上端には、内方に向かって下向傾斜する傾斜面１４が形成されている。なお、傾斜面１４は、図５（ａ）に示すような直線的な傾斜面でもよく、図５（ｂ）に示すような曲線的な傾斜面でもよい。また、隣接する薬液容器保持片８の下端部同士は、切断可能な線状の連結体１２により連結されており、この連結体１２は円形リング状の環状構造体をなしている。
【００１２】
本例の内装材２を用いた遮蔽容器を図６に示す。この遮蔽容器２０は、容器本体２２と、蓋２４と、前記内装材２とを備えている。容器本体２２は、放射性薬液容器の収納部２６を有する略有底円筒状の放射線遮蔽金属（鉛合金、タングステン合金等）製の容器体２８にプラスチック製の外装容器３０を施したものである。容器本体２２の開口部には内装材２の係合部４が係合され、これにより容器本体２２内に内装材２が配置されている。蓋２４は、放射線遮蔽金属製の蓋体３２にプラスチック製の外装容器３４を施したものである。また、容器体２８と内装材２との間には吸水部材４０が配置されている。なお、容器本体２２と蓋２４との係合手段、及び、容器本体２２の開口部と内装材２の係合部４との係合手段に限定はなく、適宜手段を採用することができる。
【００１３】
本例の遮蔽容器２０は、内装材２の複数の薬液容器保持片８の内側に放射性薬液容器（図６において点線５０で示す）を挿入し、これら薬液容器保持片８によって放射性薬液容器５０を保持するものである。なお、放射性薬液容器５０としては、例えば、数ｍｌから数１０ｍｌの放射性薬液を封入した容器で、円筒状の胴部を有するガラス製、合成樹脂製等の容器（バイアル、プレフィルドシリンジ、アンプル等）を挙げることができる。
【００１４】
この場合、本例の内装材２は、隣接する薬液容器保持片同士８が切断可能な連結体１２により連結されている。そのため、一種類の内装材に対し、薬液容器保持片８の内側にその寸法より大きい胴径を有する放射性薬液容器を挿入した場合でも、図７に示すように連結体１２が切断し、上記大きい胴径の放射性薬液容器に薬液容器保持片８が適合する。そのため、一種類の内装材２を胴径の異なる複数種の放射性薬液容器に対して使用することができる。
【００１５】
また、本例の内装材２は、薬液容器保持片８が放射性薬液容器の胴部の周面に軸方向に沿って所定長さ接触する。したがって、放射性薬液容器と薬液容器保持片８の上下方向（容器の軸方向）における接触距離が長いので、薬液容器保持片８の内側に放射性薬液容器を固定したときに放射性薬液容器がぐらつくことがなく、遮蔽容器２０内に放射性薬液容器を安定に保持することができる。
【００１６】
さらに、本例の内装材２は、薬液容器挿入部の上面の角部（図４において点線６０で示す）がカットされた形状を有する。そのため、放射性薬液容器が内装材２に保持された状態において、放射性薬液容器の上斜部から放射性薬液容器の内部を容易に視認することができる。すなわち、医師等が放射性薬液を使用する場合、容器本体２２内に放射性薬液容器を収納した状態で、放射性薬液容器の上端部から容器内に注射針を突き刺すが、このとき注射針の先端が容器内にどの程度入ったかを視認できることが好ましい。しかし、図１８に示した従来の内装材では、薬液容器挿入部の上面に角部６０が存在しているので、この角部６０が邪魔になって上記注射針の視認が難しかった。これに対し、本例の内装材２は、薬液容器挿入部の上面に角部がないので、従来のような不都合が解消される。
【００１７】
なお、本例の内装材はプラスチックにより形成したが、内装材の材質に限定はなく、ゴム、金属、紙等によって形成することもできる。
【００１８】
以下、本発明の内装材における薬液容器保持片、連結体についてさらに述べる。本発明において、薬液容器保持片の枚数は、２〜１０枚、好ましくは３〜６枚である。２枚以上であれば放射性薬液容器を保持することができるが、放射性薬液容器を遮断容器内の中心にバランスよく配置するという点から３枚以上が好ましい。また、薬液容器保持片は多ければ多いほどよいが、実用上は１０枚程度が上限である。内装材の内径の大きさによっては１０枚以上の薬液容器保持片を有することができるが、金型成形の都合上、６枚までが好ましい。
【００１９】
薬液容器保持片の形状に関しては、図１〜図４に示した縦羽根状の薬液容器保持片の場合、例えば図８〜図１１に示す形状とすることができる。なお、図８〜図１２に示す薬液容器保持片８は、いずれも円筒壁１０の内面から斜め内方に突出するように形成されている。図８の薬液容器保持片８は上から見たときに直線形状で、かつ薬液容器保持片の先端に突起７０を設けた例、図９の薬液容器保持片８は上から見たときに直線の１箇所が屈折している例、図１０の薬液容器保持片８は上から見たときに直線の２箇所が屈折している例、図１１の薬液容器保持片８は上から見たときに略円弧状となっている例である。
【００２０】
また、参考態様としては、図１２に示すように、薬液容器保持片８と薬液容器保持片以外の箇所（本例では円筒壁１０の内面）とが、切断、折曲又は転倒可能な連結体１２により連結されていてもよい。この場合、薬液容器保持片の内側に胴径の小さい放射性薬液容器を入れた際には、薬液容器保持片８は連結体１２によって内側方向へ押されて放射性薬液容器を保持する。また、薬液容器保持片の内側に胴径の大きい放射性薬液容器を入れた際には、薬液容器保持片８は外側に押し広げられて放射性薬液容器を保持する。このとき、連結体１２は倒れたり、折れ曲がったり、切断されたりする。
【００２１】
図１〜図４に示した第１〜第３発明の縦羽根状の薬液容器保持片の場合、薬液容器保持片の上端（放射性薬液容器挿入時に容器の底が当たる部分）に、内方に向かって下向傾斜する傾斜面を形成することが好ましい（図５参照）。これにより、遮蔽容器内に放射性薬液容器を挿入しやすくなる。なお、薬液容器保持片の下部及び側部は、直線状にカットされていてもよく、アーチ状の曲線等にカットされていてもよく、特に限定されない。
【００２２】
図１３〜図１５は、参考例の内装材を示す。これらの内装材の薬液容器保持片８（図では４枚）は、内面が放射性薬液容器の胴部の周面に軸方向に沿って所定長さ接触するほぼ垂直な板状のものである。連結体は、例えば図１３に示す１２ａ及び１２ｂの位置の一方又は両方に配置することができる。また、図１４の例は、薬液容器保持片８同士の角の部分に連結体１２が設けられ、連結体１２が薬液容器保持片８同士を連結して薬液容器保持片８の動きを制限する。これにより、細い放射性薬液容器を入れた際には複数の薬液容器保持片８によって放射性薬液容器５０が保持され（図１５ａ）、また太い放射性薬液容器を入れた際には複数の薬液容器保持片８が押し広げられ、連結体１２が切断されて放射性薬液容器５０が保持される（図１５ｂ）。
【００２３】
図１６〜図１７は、参考例の内装材を示す。これらの内装材の薬液容器保持片８は、内方に突出し、先端部が放射性薬液容器の胴部の周面に接触するほぼ水平な横羽根状のものである。また、薬液容器保持片８同士は切断可能な連結体１２により連結されている。これらの内装材では、細い放射性薬液容器を入れた際には図１７（ａ）のように連結体１２は切断されずに放射性薬液容器５０が保持され、太い放射性薬液容器を入れた際には図１７（ｂ）のように連結体１２が切断されて放射性薬液容器５０が保持される。
【００２４】
なお、本発明の内装材では、放射性薬液容器と薬液容器保持片の上下方向（容器の軸方向）における接触距離は、放射性薬液容器の胴部の軸長の１／３以上とすることが適当である。
【００２５】
連結体に関しては、図１〜図４に示したような円形リング状の連結体１２を径を変えて２本以上設けることも可能である。これにより、１つの内装材で、３種類以上の外径の異なる放射性薬液容器に対応することができる。連結体１２の位置はどこでもよいが、内装材を成形する際に金型成形が容易であるという点から、薬液容器保持片の最下部に設けることが有利である。連結体は、少なくとも２枚の薬液容器保持片を連結すればよいが、放射性薬液容器を遮蔽容器内の中心にバランスよく配置させる点を考慮すると、全ての薬液容器保持片が連結体によって連結されていることが好ましい。また、連結体には予め切り込みを入れておき、切れる場所を決めておくことができる。
【図面の簡単な説明】
【００２６】
【図１】本発明に係る内装材の一実施形態を示す斜視図である。
【図２】同内装材の平面図である。
【図３】同内装材の底面図である。
【図４】同内装材の断面図である。
【図５】縦羽根状薬液容器保持片の一例を示す側面図である。
【図６】図１の内装材を用いた遮蔽容器を示す断面図である。
【図７】図１の内装材の連結体切断後の底面図である。
【図８】本発明に係る内装材の一実施形態を示す概略図である。
【図９】本発明に係る内装材の一実施形態を示す概略図である。
【図１０】本発明に係る内装材の一実施形態を示す概略図である。
【図１１】本発明に係る内装材の一実施形態を示す概略図である。
【図１２】参考例に係る内装材を示す概略図である。
【図１３】参考例に係る内装材を示す概略図である。
【図１４】参考例に係る内装材を示す概略図である。
【図１５】参考例に係る内装材を示す概略図である。
【図１６】参考例に係る内装材を示す概略図である。
【図１７】参考例に係る内装材を示す概略図である。
【図１８】従来の内装材を示す斜視図である。
【符号の説明】
【００２７】
２  内装材
４  係合部
６  薬液容器挿入部
８  薬液容器保持片
１２  連結体
【図１】
0004796613.tif 000002
【図２】
0004796613.tif 000003
【図３】
0004796613.tif 000004
【図４】
0004796613.tif 000005
【図５】
0004796613.tif 000006
【図６】
0004796613.tif 000007
【図７】
0004796613.tif 000008
【図８】
0004796613.tif 000009
【図９】
0004796613.tif 000010
【図１０】
0004796613.tif 000011
【図１１】
0004796613.tif 000012
【図１２】
0004796613.tif 000013
【図１３】
0004796613.tif 000014
【図１４】
0004796613.tif 000015
【図１５】
0004796613.tif 000016
【図１６】
0004796613.tif 000017
【図１７】
0004796613.tif 000018
【図１８】
0004796613.tif 000019